(57)【要約】【課題】撮像した画像に対する評価とともにより良く撮影するためのアドバイスを得られるデジタルカメラを提供することを目的とする。【解決手段】デジタルカメラは、撮影モードで撮影した画像を画像メモリに記録する。画像評価モードにおいては、評価対象とする画像を読み出し、その画像がどのような撮影シーンであるかをユーザに指定させると、撮像された画像をシーンによって予め定められた項目に関して評価し、得点化し、適切でないと評価された項目については改善方法をアドバイスするようにした。【選択図】      図４
2009038657.tif 000002
【特許請求の範囲】
【請求項１】
被写体を撮像する撮像手段と、
撮像された画像がどのようなシーンであるかを指定するシーン指定手段と、
撮像された画像を前記シーン指定手段で指定されたシーンに応じて評価する評価手段と、
前記評価手段で適切でないと評価された項目について改善方法をアドバイスするアドバイス手段と、
を具備したことを特徴とする画像評価機能を備えたデジタルカメラ。
【請求項２】
前記評価手段は、シーンに応じて評価する項目と各項目の評価基準となる情報を記憶する記憶手段と、前記評価項目の評価に基づいて得点化する得点化手段と、前記得点化手段により得られた得点を表示する手段とを有することを特徴とする請求項１に記載の画像評価機能を備えたデジタルカメラ。
【請求項３】
前記得点化手段により得られた得点順に撮像された画像を表示する手段を有することを特徴とする請求項２に記載された画像評価機能を備えたデジタルカメラ。
【発明の詳細な説明】
【技術分野】
【０００１】
本発明は、ユーザが撮影した画像を評価する機能を備えたデジタルカメラに関する。
【背景技術】
【０００２】
近年、カメラのデジタル化が進み、デジタルカメラなどの撮像装置が普及するに伴って、写真などを撮ることに慣れていないユーザがデジタルカメラを利用することが増えてきた。一般的にユーザは、良い写真を撮りたい、撮影の技術を上達させたい、という願望を有していると思われるが、実際には自分で撮影した写真の出来映えを評価することは困難である。
そこで、ユーザが撮った画像の良し悪しを当該装置自体で判定する撮像装置が考えられている（例えば、特許文献１、特許文献２）。
【０００３】
【特許文献１】特開２００３−３３３３８１号公報
【特許文献２】特許第３３２７５２０号公報
【発明の開示】
【発明が解決しようとする課題】
【０００４】
しかし、写真の客観的評価を撮像装置から得たとしても、評価が悪かった場合に具体的にどうしたら良くなるのかユーザは分からないので、ユーザは、撮影技術の上達の意欲を失うおそれがあった。
【０００５】
本発明は、このような課題に鑑みなされたもので、撮像した画像に対する評価とともにより良く撮影するためのアドバイスを得られるデジタルカメラを提供することを目的とする。
【課題を解決するための手段】
【０００６】
本発明に係るデジタルカメラは、被写体を撮像する撮像手段と、撮像された画像がどのようなシーンであるかを指定するシーン指定手段と、撮像された画像を前記シーン指定手段で指定されたシーンに応じて評価する評価手段と、前記評価手段で適切でないと評価された項目について改善方法をアドバイスするアドバイス手段と、を具備したことを特徴とする。
【発明の効果】
【０００７】
本発明によれば、被写体を撮像した画像がどのようなシーンであるかを指定すると、画像を指定されたシーンに応じて評価し、適切でないと評価された項目について改善方法をアドバイスするようにしたので、撮像した画像に対する評価とともにより良く撮影するための手法を得ることができるようになる。
【発明を実施するための最良の形態】
【０００８】
以下、図面により、本発明の実施の形態について説明する。
図１は本発明に係るデジタルカメラ１００の構成を示すブロック図である。
【０００９】
光学ユニット１は、撮影及び結像に関する機構部材と電気部材を含み、フォーカスレンズ、ズームレンズ、メカニカルシャッター、絞り機構を内蔵している。被写体からの光はこの光学ユニット１によって撮像素子２上に集光する。撮像素子２にはフォトダイオードが規則正しく配列しており、電荷転送路として垂直ＣＣＤ（電荷結合素子：Charge Coupled Device）と水平ＣＣＤがあり、フォトダイオードの光電変換機能により、入射した光量に応じて電荷を蓄積し、光を電気信号に変換する。撮像素子２に入射する光量は、撮像ユニット１内のメカニカルシャッタと撮像素子２内部における電子シャッタによって調整が可能である。１個のフォトダイオードは１画素に相当し、一般的にフォトダイオード上にはＲ（Red）、Ｇ（Green）、Ｂ（Blue）のいずれか１つのカラーフィルタが付いている。
【００１０】
撮像素子２から出力された信号はＳ／Ｈ（Sample／Hold）回路３に入力され、サンプルホールドされて、各画素に対応したデータが抽出される。Ａ／Ｄ（Analog／Digital）回路４では、Ｓ／Ｈ回路３からのアナログ信号をデジタル信号に変換する。Ａ／Ｄ回路４から出力された信号は、画像処理部５に入力し画像処理が行われる。画像処理された撮影画像は画像メモリ６に保存される。画像表示部７は液晶表示装置等で構成され、撮像中のスルー画像あるいは画像メモリ６に記録された撮像画像が表示される。
【００１１】
システムメモリ８には、カメラ本体を最適に動作させるためのプログラム及びデータが保存されている。このプログラム及びデータには、本発明に関わる画像評価処理のプログラム及びデータも含まれている。コントローラ９はＣＰＵを内蔵し、操作部１０から得られる信号に応じてシステムメモリ８のプログラムを実行し、またシステムメモリ８からデータを読み出して、カメラ本体の動作制御を行っている。ここで操作部１０には、電源スイッチ、撮影／再生モード切り換え用のスイッチ、シャッタースイッチの他、画像評価モードを設定するスイッチなどが含まれる。
【００１２】
タイミング制御回路１１は、コントローラ９の制御にしたがって、撮像素子２、Ｓ／Ｈ回路３、Ａ／Ｄ回路４、画像処理部５の動作タイミングを制御している。撮像制御部１２は、光学ユニット１に含まれるフォーカスレンズ、ズームレンズ、メカニカルシャッター、絞り機構を駆動制御するためのシャッター駆動回路１３、レンズ駆動回路１４、絞り駆動回路１５を有しており、撮像時にユーザの操作に応じてコントローラ９からの制御を受ける。
【００１３】
システムメモリ８には、画像評価処理に用いられる画像判定基準データが、図２で示すように、各撮影シーンに対応して記憶されている。一般に、風景写真の場合は、近景から遠景までシャープにピントが合うように絞り値を大きくし、スポーツ写真の場合は、動きのある被写体を、ピッタリ止めて写真に写したいのでシャッター速度を速くする等の原則がある。本実施形態のデジタルカメラ１００においては、撮影シーンとして「人物と風景」「ポートレート」「マクロ」「スポーツ」等があり、各撮影シーン毎に画像判定基準データとして、シャッタースピード、絞り、構図（三分割法）、コントラスト等の基準データを持っているものとする。
【００１４】
次に、これらの構成を有するデジタルカメラの画像評価処理について、図３〜図６のフローチャート及び図７の画面表示例を用いて説明する。
【００１５】
ユーザはデジタルカメラ１００を「撮影モード」にして、絞りやシャッタースピードを選択し、あるいはオートモードにして、被写体を選んで撮影し、撮影された画像が画像メモリ６に記録されているものとする。なお、画像メモリ６には、画像自体のデータの他にいわゆるＥＸＩＦデータ（撮影日時、絞り、シャッタースピード等の情報）も記録される。
ここでユーザが自分の撮影した写真が上手く撮れたか当該カメラが有する画像評価機能で判定してもらうためには、操作部１０を操作して「画像評価モード」を設定する。
【００１６】
すると、デジタルカメラ１００は画像評価モードに入り、図３で示されるフローチャートにしたがった動作が行われる。
【００１７】
まず、画像メモリ６に記録された画像の中から評価の対象となる画像をユーザに選択させ、表示部７にその画像を表示させる（ステップＡ１）。そのとき表示部７には、図７（Ａ）で示すように、ユーザが撮影した１枚の画像が表示された状態になる。
【００１８】
画像が選択され、表示部７に表示されると、次に、その画像がポートレイトなのか、スポーツのシーンなのか等、撮影シーンをユーザに指定させる（ステップＡ２）。これは表示部７に撮影シーンのリストを一覧で表示してユーザに選択させる方法で行われる。
【００１９】
撮影シーンが指定されると撮影シーンに応じた画像評価処理（詳細を後述する）が実行され（ステップＡ３）、画像の評価結果が表示部７に表示される（ステップＡ４）。図７（Ｂ）〜図７（Ｄ）は評価結果の表示例であり、図７（Ｂ）は、画像の評価により採点された結果が表示された状態を示しており、図７（Ｃ）は、画像の評価によりアドバイスが表示された状態を示している。図７（Ｄ）は、上手に写真が撮れた場合にユーザを褒める表示をした状態を示している。
【００２０】
次に、上記のステップＡ３で行われる画像の評価処理について、図４のフローチャートを参照して説明する。
【００２１】
画像の評価処理における評価項目は複数有り、各撮影シーンで予め定められている。まず、すべての評価項目について評価を終えたか否か、つまり残りの評価項目があるか否かが判断される（ステップＢ１）。
【００２２】
すべての評価項目について評価を終えていない場合は（ステップＢ１、Ｙｅｓ）、評価項目を取得し（ステップＢ２）、その項目についての評価が行われる（ステップＢ３）。そして評価結果に基づいて点数処理が行われると（ステップＢ４）、ステップＢ１に戻り、全ての項目について評価が終ったか判断される。このようにして全ての項目について評価が終わるまで「評価処理」「点数処理」が実行される。
【００２３】
すべての評価項目について評価を終えると（ステップＢ１、Ｎｏ）、ステップＢ４で処理された点数に対してシーン別の重み付けが行われる（ステップＢ５）。シーン別に重み付けする意味は、そのシーンで重要視される項目の点数の比率を増やすこと、あるいはそのシーンで重要視されない(良い判定を出すことが困難な)項目の点数の比率を下げることにある。例えば、撮影シーンを「ポートレート」としたときでは、人物にピントが合っていない場合大きく減点するようにし、「夜景」「キャンドルライト」等のシーンではブレの判定を甘くする(減点を少なくする)等の処理を実行する。
【００２４】
このようにして最終的な点数が決定すると、ユーザに示す評価内容が決定され、また、アドバイスすべき内容があればアドバイスの内容が決定される（ステップＢ６）。そして決定された評価内容、アドバイスは、評価の結果として先に述べたステップＡ４で表示されることになる。
【００２５】
ここで撮影シーンとして「人物と風景」を指定した場合の具体的な評価例を図５のフローチャートを用いて説明する。
【００２６】
この場合の画像評価処理では、まず、手前の人物にピントが合っているか判断され（ステップＣ１）、例えば、ピントが合っていればピント項目に２０ポイント与えられるようにする。
【００２７】
次に、構図の適正判断として、その人物の顔が３等分線の交点に近いか判断される（ステップＣ２）。ここで、顔が３等分線の交点に近い位置にあれば配置項目に１０ポイント与えられるようにする。
【００２８】
その次も構図の判断として、人以外のポイントとなる被写体が３等分線に近いか判断される（ステップＣ３）。ポイントとなる被写体がなければ加点等の処理は行わないが、ポイントとなる被写体が移っており、かつ３等分線の交点に近い位置にあれば配置項目に１０ポイント与えられるようにする。
【００２９】
さらに、背景も人物もぼんやりした色で人物が目立たないかどうか、被写体の検出とコントラストの情報を算出した上で判断する（ステップＣ４）。ここで人物が目立たないと判断された場合には、人物の項目については２０ポイントの減点をするようになる。
この人物の評価処理については、図６のフローチャートを参照してさらに詳述する。
【００３０】
まず、画像から焦点の合っている被写体（人物）の輪郭が抽出され（ステップＤ１）、次に、その被写体の周辺画素の切り出しが行われる（ステップＤ２）。そして、切り出した部分のヒストグラムが作成され（ステップＤ３）、ヒストグラムの範囲が適切かどうかが判断される（ステップＤ４）。適切であれば、当該項目の評価を「適正」とされる（ステップＤ５）。このときポイントを与えるようにしても良い。なお、適正な範囲は、事前に判定基準データに記録されているものとする。
【００３１】
ステップＤ４で、ヒストグラムの範囲が適切でないと判断された場合には、ＥＸＩＦデータが読み込まれ（ステップＤ６）、ユーザが当該デジタルカメラで設定可能な範囲で設定を変更すれば改善可能かどうかが判断される（ステップＤ７）。
【００３２】
ここでコントラストの設定が最小/最大値でなく改善可能と判断されたならば、「コントラストをプラスにしてみてください」等のアドバイスを出すようにする（ステップＤ８）。一方、コントラストの設定が最小/最大値であり、カメラの設定を変更しても改善できない場合は、「人物が目立ちません。もう少し近寄ってみてください」あるいは「人物が目立ちません。背景の色が変わるアングルに変えてみてください」等のアドバイスを出すようにする（ステップＤ９）。
【００３３】
ここで図５のフローチャートに戻り、ステップＣ５以降の説明をする。
ステップＣ５では、画像全体が明るすぎて白飛びしている部分があるか、ヒストグラムの算出結果とＥＶ値から判断する。もし明るすぎであれば、明るさの項目を２０ポイント減点する等の処理が行われる。また、明るすぎると判断された場合には、次のアドバイスを出すようにしても良い。つまり、ＥＶの設定が最小/最大値でない場合は、「ＥＶの設定をマイナスにしてみてください」、ＥＶの設定が最小/最大値の場合は、「光が強すぎないアングルに変えてみてください」等のアドバイスを出すようにすることが考えられる。
【００３４】
明るさの評価をした後は、ＥＸＩＦのデータから、絞り、シャッタースピードのデータが読み出され、撮影シーンに対する適正の判別が行われる（ステップＣ６）。適当でなかった場合は、それぞれの項目について２０ポイント減点する等の処理が行われる。
【００３５】
以上述べた評価処理が実行されることで、ユーザが自分が撮影した画像がどの程度上手に撮れたのか参考となる評価を得ることができるようになる。また、適切でない項目については、どのように対応したら良いのかアドバイスを受けることも可能になり、撮影技術の向上を願うユーザの助けにもなる。
【００３６】
画像メモリ６に記憶された各画像について評価を行えば、各画像に対して得点が付けられることになるので、「表示モード」において、得点順に画像を表示したりするようにしても良い。この処理を図８のフローチャートを用いて説明する。
【００３７】
デジタルカメラ１００を「表示モード」に設定した状態から、ユーザが操作部１０を操作して、メニューから得点順表示の指定を行う（ステップＥ１）。すると画像メモリ６に記憶された画像のうち評価処理されて得点が付加された画像を抽出し、その中から得点の高い順に画像が読み出される（ステップＥ２）。そして、図９に示すように、得点の高い順に画像を表示する（ステップＥ３）。このような表示を行うことで、ユーザはどのような写真が良い写真が知ることができ、また写真を撮る楽しみが増える。なお、得点の順番で表示する場合に、シーン別の得点順で表示するようにしても良い。
【００３８】
上記実施の形態では、画像メモリに記録された画像について評価するようにしたが、例えば、練習モードとして撮影する前にシーンを指定するようにして、撮影終了時に直ちに画像の評価を行って、評価結果の表示あるいはアドバイスをするようにすることも可能である。また、撮影の日時と得点の関係をチェックして、だんだんと得点が高くなる傾向が検知されたときに、「上達していますね」と褒めるようなメッセージを出すようにしても良い。
【００３９】
なお、本願発明は、前記実施形態に限定されるものではなく、実施段階ではその要旨を逸脱しない範囲で種々に変形することが可能である。さらに、前記実施形態には種々の段階の発明が含まれており、開示される複数の構成要件の組み合わせにより種々の発明が抽出され得る。例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００４０】
【図１】本発明のデジタルカメラ１００の電子回路の構成を示すブロック図。
【図２】前記デジタルカメラに記憶される評価基準データを示す図。
【図３】前記デジタルカメラの画像評価モードにおける全体の動作を示すフローチャート。
【図４】画像の評価処理の動作を示すフローチャート
【図５】撮影シーンとして「人物と風景」が指定された場合の評価処理の具体的な動作を示すフローチャート
【図６】コントラストの評価の動作を示すフローチャート
【図７】評価処理結果の表示状態を示す図。
【図８】得点順表示の動作を示すフローチャート。
【図９】得点順表示の表示画面の例を示す図。
【符号の説明】
【００４１】
１  …光学ユニット
２  …撮像素子
３  …Ｓ／Ｈ回路
４  …Ａ／Ｄ回路
５  …画像処理部
６  …画像メモリ
７  …表示部
８  …システムメモリ
９  …コントローラ
１０…操作部
１１…タイミング制御回路
１２…撮像制御部
１３…シャッター駆動回路
１４…レンズ駆動回路
１５…絞り駆動回路
【図１】
2009038657.tif 000003
【図２】
2009038657.tif 000004
【図３】
2009038657.tif 000005
【図４】
2009038657.tif 000006
【図５】
2009038657.tif 000007
【図６】
2009038657.tif 000008
【図７】
2009038657.tif 000009
【図８】
2009038657.tif 000010
【図９】
2009038657.tif 000011